(57)【要約】【課題】コンピュータを所定のスペースに設置する際に、３次元的に考慮された設置条件を提供することができる装置レイアウト配信システムを提供する。【解決手段】装置レイアウト配信システム１００は、ユーザが使用する端末装置１０と、３Ｄデータ生成システム２０と、端末装置１０と３Ｄデータ生成システム２０とを接続するネットワーク３０と、からなる。ユーザが、端末装置１０を介して、装置を設置するスペースの縦、横及び高さの寸法及び装置に関するデータを少なくとも含むレイアウト情報を３Ｄデータ生成システム２０に送信すると、３Ｄデータ生成システム２０は、レイアウト情報に基づいて、装置のスペース内への最も適した設置状況を示す３Ｄレイアウト図を作成し、端末装置１０へ送信する。【選択図】    図１
2004185177.tif 000002
【特許請求の範囲】
【請求項１】
ユーザが使用する端末装置と、
サーバと、
前記端末装置と前記サーバとを接続するネットワークと、
からなる装置レイアウト配信システムであって、
前記ユーザが、前記端末装置を介して、装置を設置するスペースの縦、横及び高さの寸法及び前記装置に関するデータを少なくとも含むレイアウト情報を前記サーバに送信し、
前記サーバは、前記レイアウト情報に基づいて、前記装置の前記スペース内への最も適した設置状況を示す３Ｄレイアウト図を作成し、前記端末装置へ送信するものである装置レイアウト配信システム。
【請求項２】
前記サーバは、前記スペースの空間に関するデータが３Ｄデータとして格納されているデータベースを備えていることを特徴とする請求項１に記載の装置レイアウト配信システム。
【請求項３】
前記サーバは、少なくとも、前記装置の寸法、重量、転倒角、保守作業に必要なスペースの面積に関するデータが３Ｄデータとして格納されているデータベースを備えていることを特徴とする請求項１または２に記載の装置レイアウト配信システム。
【請求項４】
前記レイアウト情報には、前記装置に対して使用する空調機器に関するデータが含まれることを特徴とする請求項１乃至３の何れか一項に記載の装置レイアウト配信システム。
【請求項５】
前記サーバは、前記空調機器の寸法、前記装置の機種ごとに発生する熱量、前記空調機器の機種ごとの処理能力に関するデータが３Ｄデータとして格納されているデータベースを備えていることを特徴とする請求項４に記載の装置レイアウト配信システム。
【請求項６】
前記レイアウト情報には、前記装置に対して使用するケーブル類に関するデータが含まれることを特徴とする請求項１乃至５の何れか一項に記載の装置レイアウト配信システム。
【請求項７】
前記サーバは、少なくとも、前記装置に接続されるケーブルの種類、制限長、ケーブルの指定、曲げの限界に関するデータが３Ｄデータとして格納されているデータベースを備えていることを特徴とする請求項６に記載の装置レイアウト配信システム。
【請求項８】
前記装置はコンピュータであることを特徴とする請求項１乃至７の何れか一項に記載の装置レイアウト配信システム。
【請求項９】
ユーザが使用する端末装置と、サーバと、前記端末装置と前記サーバとを接続するネットワークと、からなるシステムにおける装置レイアウト配信方法であって、
前記ユーザが、前記端末装置を介して、装置を設置するスペースの縦、横及び高さの寸法及び前記装置に関するデータを少なくとも含むレイアウト情報を前記サーバに送信する第一の過程と、
前記サーバが、前記レイアウト情報に基づいて、前記装置の前記スペース内への最も適した設置状況を示す３Ｄレイアウト図を作成する第二の過程と、
前記サーバが前記３Ｄレイアウト図を前記端末装置へ送信する第三の過程と、
からなる装置レイアウト配信方法。
【請求項１０】
前記ユーザは、前記第一の過程において、前記装置に対して使用する空調機器に関するデータをも前記レイアウト情報として前記サーバに送信することを特徴とする請求項９に記載の装置レイアウト配信方法。
【請求項１１】
前記ユーザは、前記第一の過程において、前記装置に対して使用するケーブル類に関するデータをも前記レイアウト情報として前記サーバに送信することを特徴とする請求項９または１０に記載の装置レイアウト配信方法。
【請求項１２】
ユーザが使用する端末装置と、サーバと、前記端末装置と前記サーバとを接続するネットワークと、からなるシステムにおける装置レイアウト配信方法を前記サーバに実行させるためのプログラムであって、
前記プログラムが行う処理は、
前記ユーザが前記端末装置を介して送信した、装置を設置するスペースの縦、横及び高さの寸法及び前記装置に関するデータを少なくとも含むレイアウト情報を受信する第一の処理と、
前記レイアウト情報に基づいて、前記装置の前記スペース内への最も適した設置状況を示す３Ｄレイアウト図を作成する第二の処理と、
前記３Ｄレイアウト図を前記端末装置へ送信する第三の処理と、
からなるものであるプログラム。
【請求項１３】
前記第一の処理において、前記装置に対して使用する空調機器に関するデータをも前記レイアウト情報として受信することを特徴とする請求項１２に記載のプログラム。
【請求項１４】
前記第一の処理において、前記装置に対して使用するケーブル類に関するデータをも前記レイアウト情報として受信することを特徴とする請求項１２または１３に記載のプログラム。
【発明の詳細な説明】
【０００１】
【発明の属する技術分野】
本発明は、所定の装置を所定のスペースに最適に配置したレイアウト図、特に、配置を３次元的に表現した３Ｄレイアウト図をＷＥＢで配信するシステム及び方法に関する。
【０００２】
【従来の技術】
これまでに、コンピュータその他の大型装置を所定のスペース（または、部屋）内に最適に配置するためのレイアウト図、あるいは、複数個の家具を複数の部屋内に最適に配置するための間取り図をコンピュータを用いて作成するシステムはいくつか提案されている。
【０００３】
しかしながら、これらのレイアウト図または間取り図は二次元的な平面図として表されるものであるため、視点の変更が不可能であり、必要な視点からのレイアウト図または間取り図を別途作成する必要があった。
【０００４】
このような必要性をなくすため、３次元的に表現されたレイアウトを提供するシステムが提案されている（例えば、特許文献１及び２参照）。
【０００５】
【特許文献１】
特開平８−３６５９２号公報
【０００６】
【特許文献２】
特開２００２−２０２９９９号公報
【０００７】
【発明が解決しようとする課題】
しかしながら、これらのシステムは、装置や家具を設置するスペース（または、部屋）の床面積のみを３Ｄレイアウト図の作成用データとして用いるものであった。すなわち、最終的に作成されるレイアウト図は３次元的なものとして表現はされるものの、実際には、２次元的データである床面積データのみを用いるものであったため、高さ方向における装置の配置のバランスを確認することができないという欠点を有していた。
【０００８】
本発明は、このような点に鑑みてなされたものであり、装置や家具を所定のスペースに設置する際に、３次元的に考慮された設置条件を提供することができる装置レイアウト配信システム及び装置レイアウト配信方法を提供することを目的とする。
【０００９】
【課題を解決するための手段】
この目的を達成するため、本発明は、ユーザが使用する端末装置と、サーバと、端末装置とサーバとを接続するネットワークと、からなる装置レイアウト配信システムであって、ユーザが、端末装置を介して、装置を設置するスペースの縦、横及び高さの寸法及び装置に関するデータを少なくとも含むレイアウト情報をサーバに送信し、サーバは、レイアウト情報に基づいて、装置のスペース内への最も適した設置状況を示す３Ｄレイアウト図を作成し、端末装置へ送信するものである装置レイアウト配信システムを提供する。
【００１０】
上記のサーバは、スペースの空間に関するデータが３Ｄデータとして格納されているデータベースを備えていることが好ましい。
【００１１】
また、サーバは、少なくとも、装置の寸法、重量、転倒角、保守作業に必要なスペースの面積に関するデータが３Ｄデータとして格納されているデータベースを備えていることが好ましい。
【００１２】
レイアウト情報には、装置に対して使用する空調機器に関するデータを含めることができる。
【００１３】
サーバは、空調機器の寸法、装置の機種ごとに発生する熱量、空調機器の機種ごとの処理能力に関するデータが３Ｄデータとして格納されているデータベースを備えていることが好ましい。
【００１４】
レイアウト情報には、装置に対して使用するケーブル類に関するデータを含めることができる。
【００１５】
サーバは、少なくとも、装置に接続されるケーブルの種類、制限長、ケーブルの指定、曲げの限界に関するデータが３Ｄデータとして格納されているデータベースを備えていることが好ましい。
【００１６】
本発明に係る装置レイアウト配信システムの対象となる装置としては、例えば、コンピュータを選択することができる。
【００１７】
さらに、本発明は、ユーザが使用する端末装置と、サーバと、端末装置とサーバとを接続するネットワークと、からなるシステムにおける装置レイアウト配信方法であって、ユーザが、端末装置を介して、装置を設置するスペースの縦、横及び高さの寸法及び装置に関するデータを少なくとも含むレイアウト情報をサーバに送信する第一の過程と、サーバが、レイアウト情報に基づいて、装置のスペース内への最も適した設置状況を示す３Ｄレイアウト図を作成する第二の過程と、サーバが３Ｄレイアウト図を端末装置へ送信する第三の過程と、からなる装置レイアウト配信方法を提供する。
【００１８】
ユーザは、第一の過程において、装置に対して使用する空調機器に関するデータをもレイアウト情報としてサーバに送信することができる。
【００１９】
また、ユーザは、第一の過程において、装置に対して使用するケーブル類に関するデータをもレイアウト情報としてサーバに送信することができる。
【００２０】
また、本発明は、ユーザが使用する端末装置と、サーバと、端末装置とサーバとを接続するネットワークと、からなるシステムにおける装置レイアウト配信方法をサーバに実行させるためのプログラムであって、プログラムが行う処理は、ユーザが端末装置を介して送信した、装置を設置するスペースの縦、横及び高さの寸法及び装置に関するデータを少なくとも含むレイアウト情報を受信する第一の処理と、レイアウト情報に基づいて、装置のスペース内への最も適した設置状況を示す３Ｄレイアウト図を作成する第二の処理と、３Ｄレイアウト図を端末装置へ送信する第三の処理と、からなるものであるプログラムを提供する。
【００２１】
第一の処理において、装置に対して使用する空調機器に関するデータをもレイアウト情報として受信するようにすることができる。
【００２２】
第一の処理において、装置に対して使用するケーブル類に関するデータをもレイアウト情報として受信するようにすることができる。
【００２３】
【発明の実施の形態】
図１は、本発明の一実施形態に係る装置レイアウト配信システム１００の構成を示す概念図である。
【００２４】
本実施形態に係る装置レイアウト配信システム１００は、ユーザが使用するユーザ端末装置１０と、３Ｄデータ生成システム２０と、ユーザ端末装置１０と３Ｄデータ生成システム２０とを接続するネットワークとしてのインターネット３０と、から構成されている。
【００２５】
ユーザ端末装置１０は、ユーザが必要なデータを入力するために使用する端末装置であり、例えば、パーソナルコンピュータに代表される情報処理端末装置からなる。
【００２６】
後述するように、例えば、ユーザが新規にコンピュータを購入し、または、コンピュータの購入を予定している場合に、そのコンピュータを設置するマシン室の寸法、コンピュータの温度調節用に使用する空調機器の機種及び設置位置、コンピュータの機種情報を少なくとも含むレイアウト情報がユーザ端末装置１０を介して入力され、ネットワーク３０を介して３Ｄデータ生成システム２０に送信される。
【００２７】
ネットワークとしては、インターネット３０に代えて、例えば、イントラネットを用いることも可能である。
【００２８】
３Ｄデータ生成システム２０は、後述するように、ユーザ端末装置１０から送信されてきたレイアウト情報に基づいて３Ｄレイアウト図を作成し、作成したレイアウト図をユーザ端末装置１０に送信するシステムである。
【００２９】
図２は、３Ｄデータ生成システム２０の構造を示すブロック図である。
【００３０】
３Ｄデータ生成システム２０は、３Ｄデータ生成サーバ２０１と、マシン室の空間情報データベース２０２と、空調機器情報データベース２０３と、ケーブル情報データベース２０４と、コンピュータ情報データベース２０５と、から構成されている。
【００３１】
３Ｄデータ生成サーバ２０１は、例えば、サーバなどの情報処理装置からなり、ユーザ端末装置１０から送信されてくるレイアウト情報をインターネット３０を介して受信し、そのレイアウト情報（マシン室の寸法、空調機器の機種・設置位置、コンピュータの機種などを含む情報）に基づいて、３Ｄデータ生成システム２０が保有する４種類のデータベース２０２、２０３、２０４、２０５に格納されている情報からユーザの環境条件に最も適した３Ｄレイアウト図を生成し、その３Ｄレイアウト図をユーザ端末装置１０に送信する。
【００３２】
マシン室の空間情報データベース２０２は、マシン室の空間が３Ｄデータとして格納されたデータベースであり、３Ｄレイアウト図におけるマシン室の空間を作成する際に使用される。
【００３３】
空調機器情報データベース２０３は、マシン室にコンピュータとともに設置される空調機器の寸法、コンピュータの機種毎の発生する熱量、空調機器の機種毎の処理能力、空調機器毎の３Ｄデータを格納しており、コンピュータの配置を算出する際に、ならびに、空調機器の３Ｄデータを３Ｄレイアウト図に配置する際に使用される。
【００３４】
ケーブル情報データベース２０４は、各コンピュータを接続するケーブルの種類、制限長、ケーブルの指定、曲げの限界、ケーブル毎の３Ｄデータを格納しており、コンピュータの配置を算出する際に、ならびに、ケーブルの３Ｄデータを３Ｄレイアウト図に配置する際に使用される。
【００３５】
コンピュータ情報データベース２０５は、コンピュータの寸法、重量、転倒角、保守作業スペース、コンピュータの３Ｄデータを格納しており、コンピュータの配置を算出する際に、ならびに、コンピュータの３Ｄデータを３Ｄレイアウト図に配置する際に使用される。
【００３６】
図３は、本実施形態に係る装置レイアウト配信システム１００の動作を示すフローチャートである。以下、図３を参照して、装置レイアウト配信システム１００の動作を説明する。
【００３７】
先ず、ユーザは、コンピュータを設置するマシン室の寸法、コンピュータとともにマシン室に設置し、コンピュータの周囲の温度調節に用いる空調機器の機種及び設置位置、コンピュータの機種を決定する（ステップＡ１）。
【００３８】
ユーザは、これらを決定すると、ユーザ端末装置１０からインターネット３０を介して３Ｄデータ生成用システム２０へアクセスする。
【００３９】
３Ｄデータ生成用システム２０はユーザ端末装置１０からアクセスがあると、ネットワーク３０を介して、図４に示すようなデータ記入用画面をユーザ端末装置１０のディスプレイに表示させる。
【００４０】
ユーザは、図４に示されるデータ記入用画面に従って、次の事項からなるレイアウト情報をユーザ端末装置１０に入力する。
（１）マシン室の縦、横、高さ及び床あげ高さの寸法
（２）空調機器の機種名、例えば、北と東からの距離で特定される設置位置、空調機器の正面の向き
（３）コンピュータの機種
ユーザは、これらのレイアウト情報をユーザ端末装置１０に入力した後、ネットワーク３０を介して、３Ｄデータ生成システム２０に送信する（ステップＡ２）。
【００４１】
３Ｄデータ生成用システム２０の３Ｄデータ生成サーバ２０１はユーザ端末装置１０からレイアウト情報を受信すると（ステップＡ３）、レイアウト情報に含まれるマシン室の寸法と一致するマシン室の空間の３Ｄデータをマシン室の空間情報データベース２０２から選択し、縦、横、高さ、床上げ高さをマシン室の寸法比に合わせた３Ｄデータを生成する。
【００４２】
図５は、このようにして生成された３Ｄデータの一例を示す平面図である。
【００４３】
３Ｄデータ生成サーバ２０１は、このようにして生成した３Ｄデータを３Ｄデータレイアウト図の一部として記憶しておく。
【００４４】
次いで、３Ｄデータ生成サーバ２０１は、レイアウト情報と一致する空調機器の寸法、各コンピュータの発生熱量、空調機器の処理能力、空調機器の３Ｄデータの情報を空調機器情報データベース２０３から読み出し、これらの情報を３Ｄデータレイアウト図の一部として記憶しておく。
【００４５】
図６は、コンピュータの機種毎に各パーツが発生する熱量を示したテーブルの一例であり、図７は、空調機器毎の処理能力を示したテーブルの一例である。
【００４６】
３Ｄデータ生成サーバ２０１は、空調機器情報データベース２０３から読み出した情報を、例えば、図６及び図７に示したテーブル形式で記憶しておく。
【００４７】
次いで、３Ｄデータ生成サーバ２０１は、レイアウト情報と一致するコンピュータに接続するケーブルの種類、制限長、曲げの限界、ケーブルの３Ｄデータをケーブル情報データベース２０４から読み出し、これらの情報を３Ｄデータレイアウト図の一部として記憶しておく。
【００４８】
図８は、各パーツ間を接続する際に用いるケーブルの種類を示したテーブルの一例であり、図９は、ケーブル毎に、制限長、ケーブル指定、曲げ限界を示したテーブルの一例である。
【００４９】
３Ｄデータ生成サーバ２０１は、ケーブル情報データベース２０４から読み出した情報を、例えば、図８及び図９に示したテーブル形式で記憶しておく。
【００５０】
さらに、３Ｄデータ生成サーバ２０１は、レイアウト情報と一致するコンピュータの寸法、重量、転倒角、保守用スペース、コンピュータの３Ｄデータをコンピュータ情報データベース２０５から読み出し、これらの情報を３Ｄデータレイアウト図の一部として記憶しておく。
【００５１】
図１０は、コンピュータの機種毎に各パーツの寸法、重量、転倒角、保守作業スペースを示したテーブルの一例である。
【００５２】
３Ｄデータ生成サーバ２０１は、コンピュータ情報データベース２０５から読み出した情報を、例えば、図１０に示したテーブル形式で記憶しておく。
【００５３】
次いで、３Ｄデータ生成サーバ２０１は、図７に示した空調機器の機種毎の処理能力に基づいて、空調機器の正面からコンピュータまでの距離を算出する。
【００５４】
例えば、図６に示したＡサーバの発生熱量は１００ｋＪ／ｈである。図７に示したテーブルによれば、Ｄ空調機器を１００ｋＪ／ｈの熱量を発生する装置に対して使用する場合には、その熱量を発生する装置から半径２０ｍ以内に設置すればよいことがわかる。従って、空調機器としてＤ空調機器を選択する場合には、ＡサーバはＤ空調機器から半径２０ｍ以内に位置するように配置される。
【００５５】
同様に、空調機器としてＥ空調機器を選択する場合には、ＡサーバはＥ空調機器から半径１０ｍ以内に位置するように配置され、空調機器としてＦ空調機器を選択する場合には、ＡサーバはＦ空調機器から半径２０ｍ以内に位置するように配置される。
【００５６】
さらに、３Ｄデータ生成サーバ２０１は、図８に示した各コンピュータ間で使用するケーブルの種類及び図９に示したケーブルの種類ごとの制限長、曲げの限界に関する情報に基づいて、各コンピュータ間の距離を算出する。
【００５７】
このようにして算出された空調機器正面からコンピュータまでの距離、各コンピュータ間の距離、並びに、図１０に示したコンピュータの寸法、重量、転倒角、保守作業スペース情報に基づいて、マシン室の３Ｄレイアウト図上に各コンピュータ及びケーブルを配置することにより、３Ｄレイアウト図を完成させる（ステップＡ４）。
【００５８】
図１１及び図１２は、このようにして作成した３Ｄレイアウト図の一例である。図１１は、斜め上方から見た場合の３Ｄレイアウト図であり、図１２は、斜め下方から見た場合の３Ｄレイアウト図である。
【００５９】
次いで、３Ｄデータ生成サーバ２０１は、ユーザ端末装置１０において検索できるように、完成した３Ｄレイアウト図をインターネット３０を介してユーザ端末装置１０に配信する。（ステップＡ５）。
【００６０】
この３Ｄレイアウト図のユーザ端末装置１０への配信をもって３Ｄデータ生成システム２０の動作は終了する。
【００６１】
ユーザ端末装置１０は、３Ｄデータ生成システム２０から３Ｄレイアウト図を受信し（ステップＡ５）、これをもって動作を終了する。
【００６２】
以下、各コンピュータ間の距離の算出例を説明する。
【００６３】
先ず、ＡサーバとＢクライアントとの間の距離の算出方法を説明する。
【００６４】
ＡサーバとＢクライアントとを接続するケーブルとしては、図８に示すように、Ｇケーブルを使用する。
【００６５】
図９に示すように、Ｇケーブルはその長さが１ｍ、５ｍ及び１０ｍの３種類がある。Ｇケーブルの長さとしては、床上げ高さの２倍以上の長さが最低必要である。すなわち、図９に示すように、Ｇケーブルの曲げの限界半径が１ｍであるため、円周長２π×１／２（２回曲げる必要あり）≒３ｍがＧケーブルの最低の長さとして必要となる。
【００６６】
従って、Ｇケーブルとしては、５ｍまたは１０ｍのものが選択対象となる。
【００６７】
次いで、各コンピュータの寸法及び保守スペースを考慮して、最適なケーブル長を決定する。選択候補が複数種類ある場合には、最も短いケーブル長を選択する。
【００６８】
次いで、ＡサーバとＣディスクとの間の距離の算出方法を説明する。
【００６９】
ＡサーバとＣディスクとを接続するケーブルとしては、図８に示すように、Ｈケーブルを使用する。
【００７０】
図９に示すように、Ｈケーブルはその長さが１ｍ、３ｍ及び５ｍの３種類がある。Ｈケーブルの長さとしては、床上げ高さの２倍以上の長さが最低必要である。すなわち、図９に示すように、Ｈケーブルの曲げの限界半径が０．５ｍであるため、円周長２π×０．５／２（２回曲げる必要あり）≒１．５ｍがＨケーブルの最低の長さとして必要となる。
【００７１】
従って、Ｈケーブルとしては、３ｍまたは５ｍのものが選択対象となる。
【００７２】
次いで、各コンピュータの寸法及び保守スペースを考慮して、最適なケーブル長を決定する。選択候補が複数種類ある場合には、最も短いケーブル長を選択する。
【００７３】
上述の実施形態に係る装置レイアウト配信システム１００においては、ユーザー端末装置１０から送信されてくるレイアウト情報に基づいて、所定のスペース内にコンピュータを配置する例を示したが、本実施形態に係る装置レイアウト配信システム１００の適用対象はコンピュータには限定されない。コンピュータ以外の各種装置または家具その他の物品を配置する場合にも適用可能である。
【００７４】
コンピュータのように放熱対策やケーブル類の配置が必要な場合には、上述の実施形態に係る装置レイアウト配信システム１００のように、レイアウト情報には各コンピュータの発生熱量、空調機器の処理能力、ケーブルに関するデータを含める必要があるが、熱を発散しない装置あるいはケーブルによる接続が不要なものについては、レイアウト情報にそれらのデータを含める必要はない。
【００７５】
上述の実施形態に係る装置レイアウト配信システム１００における３Ｄデータ生成システム２０の３Ｄデータ生成サーバ２０１の動作は、コンピュータが読み取ることができる言語で記述されたコンピュータプログラムによっても実行可能である。
【００７６】
コンピュータプログラムにより３Ｄデータ生成サーバ２０１を動作させる場合には、例えば、３Ｄデータ生成サーバ２０１にプログラム記憶用のメモリーを設け、そのメモリーにコンピュータプログラムを格納する。３Ｄデータ生成サーバ２０１はメモリーからそのコンピュータプログラムを読み出すことにより、そのコンピュータプログラムに従って、上述のような動作を実行する。
【００７７】
さらには、そのようなコンピュータプログラムを格納した記憶媒体を３Ｄデータ生成サーバ２０１にセットすることにより、３Ｄデータ生成サーバ２０１がその記憶媒体からそのコンピュータプログラムを読み出し、そのコンピュータプログラムに従って、上述のような動作を実行するようにすることも可能である。
【００７８】
次いで、上述の３Ｄデータ生成サーバ２０１の機能を実施するためのプログラムを格納した記憶媒体について以下に説明する。
【００７９】
上述の３Ｄデータ生成サーバ２０１の機能は各種のコマンドを含むプログラムとして実現可能であり、コンピュータによって読み取り可能な記憶媒体を介して提供することが可能である。
【００８０】
本明細書において、「記憶媒体」の語は、データを記録することができるあらゆる媒体を含むものとする。
【００８１】
記憶媒体としては、例えば、ＣＤ−ＲＯＭ（Ｃｏｍｐａｃｔ  Ｄｉｓｋ−ＲＯＭ）やＰＤなどのディスク型の記憶媒体、磁気テープ、ＭＯ（Ｍａｇｎｅｔｏ  Ｏｐｔｉｃａｌ  Ｄｉｓｋ）、ＤＶＤ−ＲＯＭ（Ｄｉｇｉｔａｌ  Ｖｉｄｅｏ  Ｄｉｓｋ−Ｒｅａｄ  Ｏｎｌｙ  Ｍｅｍｏｒｙ）、ＤＶＤ−ＲＡＭ（Ｄｉｇｉｔａｌ  Ｖｉｄｅｏ  Ｄｉｓｋ−Ｒａｎｄｏｍ  Ａｃｃｅｓｓ  Ｍｅｍｏｒｙ）、フレキシブルディスク４０２、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などのメモリーチップ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、スマートメディア（登録商標）、フラッシュメモリー、コンパクトフラッシュ（登録商標）カードなどの書き換え可能なカード型、ハードディスクがあり、その他プログラムの格納に適していれば、いかなる手段も用いることができる。
【００８２】
この記憶媒体は、コンピュータが読み取り可能なプログラム用言語を用いて上述の３Ｄデータ生成サーバ２０１の各機能をプログラミングし、そのプログラムをプログラムの記録が可能な上記の記憶媒体に記録することにより、作成することができる。
【００８３】
あるいは、記憶媒体として、３Ｄデータ生成サーバ２０１に備え付けられたハードディスクを用いることも可能である。
【００８４】
また、上記の記憶媒体は、上述のコンピュータプログラムを上記のような記憶媒体に格納し、ネットワークを介して、そのコンピュータプログラムを他のコンピュータにより読み取ることによっても、作成可能である。
【００８５】
【発明の効果】
以上のように、本発明に係る装置レイアウト配信システム及び装置レイアウト配信方法によれば、次のような効果を得ることができる。
【００８６】
第一に、レイアウト図が３Ｄ表示であるため、視点を自由に変更できる。このため、従来の方法とは異なり、視点を変えたレイアウト図を新たに作成する必要がなくなる。
【００８７】
第二に、コンピュータその他の装置のレイアウトを各環境条件を考慮して決定することができる。特に、従来の方法においては、高さ方向における配置状況を確認することができなかったが、本発明に係る装置レイアウト配信システム及び装置レイアウト配信方法においては、装置を設置するスペースの縦及び横のみならず、高さ及び床上げ高さまでも考慮することができるので、縦横方向のみならず、高さ方向における配置のバランスをも確認することが可能である。
【００８８】
第三に、ケーブルを配置する場合のケーブルルートのフォーミング位置までも指定することができる。
【００８９】
第四に、空調機器を配置する場合に、その空調機器からの空気の流れを計算したレイアウト図を作成することができる。
【図面の簡単な説明】
【図１】本発明の一実施形態に係る装置レイアウト配信システムの構成を示す概念図である。
【図２】図１に示した装置レイアウト配信システムにおける３Ｄデータ生成システムの構成を示すブロック図である。
【図３】図１に示した装置レイアウト配信システムの動作を示すフローチャートである。
【図４】図１に示した装置レイアウト配信システムにおいて、ユーザ端末装置から３Ｄデータ生成システムにレイアウト情報を送る際に使用するデータ入力画面の一例である。
【図５】マシン室を３次元的に示した３Ｄデータの一例である。
【図６】コンピュータの機種毎の発生熱量を示すテーブルの一例である。
【図７】空調機器の機種毎の処理能力を示すテーブルの一例である。
【図８】コンピュータの機種毎に使用するケーブルの種類を示すテーブルの一例である。
【図９】ケーブルの仕様を示すテーブルの一例である。
【図１０】コンピュータの機種ごとの寸法、重量、転倒角、保守作業スペースを示すテーブルの一例である。
【図１１】図１に示した装置レイアウト配信システムにおける３Ｄデータ生成システムが作成した３Ｄレイアウト図を斜め上方から見た場合の３Ｄレイアウト図である。
【図１２】図１に示した装置レイアウト配信システムにおける３Ｄデータ生成システムが作成した３Ｄレイアウト図を斜め下方から見た場合の３Ｄレイアウト図である。
【符号の説明】
１００  本発明の一実施形態に係る装置レイアウト配信システム
１０  ユーザ端末装置
２０  ３Ｄデータ生成システム
３０  インターネット
２０１  ３Ｄデータ生成サーバ
２０２  マシン室の空間情報データベース
２０３  空調機器情報データベース
２０４  ケーブル情報データベース
２０５  コンピュータ情報データベース
【図１】
2004185177.tif 000003
【図２】
2004185177.tif 000004
【図３】
2004185177.tif 000005
【図４】
2004185177.tif 000006
【図５】
2004185177.tif 000007
【図６】
2004185177.tif 000008
【図７】
2004185177.tif 000009
【図８】
2004185177.tif 000010
【図９】
2004185177.tif 000011
【図１０】
2004185177.tif 000012
【図１１】
2004185177.tif 000013
【図１２】
2004185177.tif 000014